(57)【要約】【課題】  画像と実体物とを重ね合わせる表示形態において、両者を移動させる際の視認性や見栄えを向上させることが可能な計器装置を提供する。【解決手段】  車両情報を構成する画像を表示する表示器１と、表示器１の前面側に配設され、表示器１の表示領域を画定する表示仕切り部２ｃ３と、表示仕切り部２ｃ３を移動させる移動機構と、前記移動機構に表示仕切り部２ｃ３を第一の位置から第二の位置に移動させるとともに表示器１に表示仕切り部２ｃ３の移動に応じて前記画像が移動するように表示させる制御手段と、を備えた計器装置である。前記制御手段は、前記画像の移動に際して、表示器１に前記画像の少なくとも一部を不鮮明にした不鮮明画像を前記画像の表示位置から前記画像の移動前方向にずれた位置に表示させてなる。【選択図】  図１
2010216855.tif 000002
【特許請求の範囲】
【請求項１】
車両情報を構成する画像を表示する表示器と、前記表示器の前面側に配設され、前記表示器の表示領域を画定する表示仕切り部と、前記表示仕切り部を移動させる移動機構と、前記移動機構に前記表示仕切り部を第一の位置から第二の位置に移動させるとともに前記表示器に前記表示仕切り部の移動に応じて前記画像が移動するように表示させる制御手段と、を備えた計器装置であって、
前記制御手段は、前記画像の移動に際して、前記表示器に前記画像の少なくとも一部を不鮮明にした不鮮明画像を前記画像の表示位置から前記画像の移動前方向にずれた位置に表示させてなることを特徴とする計器装置。
【請求項２】
前記制御手段は、前記表示器に前記画像の移動前方向に向かって徐々に不鮮明となるように前記不鮮明画像を複数並べて表示させてなることを特徴とする請求項１に記載の計器装置。
【請求項３】
前記不鮮明画像は、前記画像に対して濃度，輝度，色相あるいは彩度の少なくとも１つを異ならせてなることを特徴とする請求項１に記載の計器装置。
【請求項４】
前記表示仕切り部は透光性であり、前記画像は前記表示仕切り部と重ねて表示される背景部を含み、前記不鮮明画像は少なくとも前記背景部を不鮮明にした不鮮明背景部を含むことを特徴とする請求項１に記載の計器装置。
【請求項５】
前記表示仕切り部は指針が配置された透光性の支持部材に設けられ、前記画像は前記指針によって指示される指標部を少なくとも含むことを特徴とする請求項１に記載の計器装置。
【発明の詳細な説明】
【技術分野】
【０００１】
本発明は、液晶表示器などのフラットパネルディスプレイと呼ばれる表示器を備えた計器装置に関する。
【背景技術】
【０００２】
従来の計器装置としては、液晶表示器などのフラットパネルディスプレイと呼ばれる第一の表示器と、この第一の表示器の前方に配設される第二の表示器とを備え、所定の情報に基づいて前記第二の表示器を移動させ、前記第一の表示器の表示面積を確保して所定の情報を表示するものがあった。
【先行技術文献】
【特許文献】
【０００３】
【特許文献１】特開２００６−２０１１４０号公報
【発明の概要】
【発明が解決しようとする課題】
【０００４】
このような計器装置にあっては、前記第一の表示器に目盛や数字からなる指標部を含む画像を表示し、前記第二の表示器として配設される実体メータと重ね合わせて指示計器を構成するような場合には、前記画像及び前記実体メータを移動させるに際して前記画像の表示のための描画処理タイミングと前記実体メータの移動機構の制御処理タイミングとを高い精度で同期させる必要がある。しかしながら、前記第一の表示器と前記実体メータとを異なるマイコンで制御している場合などには互いの通信速度の問題も生じ、両者を高い精度で同期させることが困難であり、前記画像と前記実体メータとの位置にズレが生じる結果、表示の見栄えが低下するという問題点があった。
【０００５】
そこで、本発明は、前述した問題点に着目し、画像と実体物とを重ね合わせる表示形態において、両者を移動させる際の視認性や見栄えを向上させることが可能な計器装置を提供することを目的とする。
【課題を解決するための手段】
【０００６】
本発明は、前記課題を解決するために、車両情報を構成する画像を表示する表示器と、前記表示器の前面側に配設され、前記表示器の表示領域を画定する表示仕切り部と、前記表示仕切り部を移動させる移動機構と、前記移動機構に前記表示仕切り部を第一の位置から第二の位置に移動させるとともに前記表示器に前記表示仕切り部の移動に応じて前記画像が移動するように表示させる制御手段と、を備えた計器装置であって、前記制御手段は、前記画像の移動に際して、前記表示器に前記画像の少なくとも一部を不鮮明にした不鮮明画像を前記画像の表示位置から前記画像の移動前方向にずれた位置に表示させてなることを特徴とする。
【０００７】
また、前記制御手段は、前記表示器に前記画像の移動前方向に向かって徐々に不鮮明となるように前記不鮮明画像を複数並べて表示させてなることを特徴とする。
【０００８】
また、前記不鮮明画像は、前記画像に対して濃度，輝度，色相あるいは彩度の少なくとも１つを異ならせてなることを特徴とする請求項１に記載の計器装置。
【０００９】
また、前記表示仕切り部は透光性であり、前記画像は前記表示仕切り部と重ねて表示される背景部を含み、前記不鮮明画像は少なくとも前記背景部を不鮮明にした不鮮明背景部を含むことを特徴とする。
【００１０】
また、前記表示仕切り部は指針が配置された透光性の支持部材に設けられ、前記画像は前記指針によって指示される指標部を少なくとも含むことを特徴とする。
【発明の効果】
【００１１】
本発明によれば、所期の目的を達成でき、画像と実体物とを重ね合わせる表示形態において、両者を移動させる際の視認性や見栄えを向上させることが可能となる。
【図面の簡単な説明】
【００１２】
【図１】本発明の実施形態である計器装置の第一の表示形態を示す正面図
【図２】同上計器装置の第二の表示形態を示す正面図。
【図３】図１中Ａ−Ａ線の断面図。
【図４】図１中Ｂ−Ｂ線の断面図。
【図５】同上計器装置の移動機構部分の正面図。
【図６】同上計器装置の移動機構部分の背面図。
【図７】同上計器装置の電気的構成を示すブロック図。
【図８】同上計器装置の第一の表示器における表示例を示す図。
【発明を実施するための形態】
【００１３】
以下、本発明を適用した一実施形態を添付図面に基づいて説明する。
【００１４】
本実施形態の計器装置は、第一の表示器１、第二の表示器２、これらの表示器１，２を支持する支持体３を備えている。第二の表示器２は、移動機構４によって移動可能に保持されている。また、計器装置は、第一の表示器１，第二の表示器２，支持体３及び移動機構４の各部を前面ケース５と背面カバー６とで収納している。
【００１５】
第一の表示器１と第２表示器２とは、前面ケース５に設けた開口５ａから露出している。計器装置は、２つの第二の表示器２を中央位置に近接配置した第一の表示形態（図１参照）と、２つの第二の表示器２をそれぞれ両端位置に離間して配置した第二の表示形態（図２参照）と、を切り替え可能になっている。
【００１６】
第一の表示器１は、いわゆるフラットパネルディスプレイと称される表示器であり、液晶表示パネルや有機ＥＬパネル等からなる。第一の表示器１は、ドットマトリクスタイプであることが望ましく、車両情報を構成する画像を表示する。本実施形態では、前記画像として、第二の表示器２の後述する指針により指示される目盛や文字などからなる指標部１ａや後述する背景部１ｂ，警告情報１ｃあるいは不鮮明画像１ｄを表示することができる。
【００１７】
第二の表示器２は、図３，４に示すように、指針２ａ，指針用電動機２ｂ及び支持部材２ｃで主に構成されている。なお、図１中の右側の第二の表示器２が車両の速度を示す速度計を構成し、同左側の第二の表示器２が車両のエンジン回転数を示す回転計を構成する。
【００１８】
指針２ａは、第一の表示器１で表示した指標部１ａを指示するものである。この指針２ａは、前部支持部材２ｃ１に回動可能に支持されている。なお、この指針２ａ内には、磁石が内蔵されている。
【００１９】
指針用電動機２ｂは、交差コイル式電動機やステッピングモータなどであり、指針２ａを回転駆動するものである。この指針用電動機２ｂは、後部支持部材２ｃ２に固定されている。この指針用電動機２ｂは、回転軸２ｂ１を備えており、この回転軸２ｂ１の端部に磁石２ｂ２を備えている。指針２ａと指針用電動機２ｂとの間には、第一の表示器１と支持体３とが位置しているが、指針２ａに設けた前記磁石と、指針用電動機２ｂの磁石２ｂ２とは、磁力によって連結しており、指針用電動機２ｂの回転軸２ｂ１の回転を指針２ａに伝達し、指針２ａを回転駆動させることができる。
【００２０】
支持部材２ｃは、指針２ａと指針用電動機２ｂとを支持するものであり、前部支持部材２ｃ１と後部支持部材２ｃ２とで構成されている。
【００２１】
前部支持部材２ｃ１は、透明な合成樹脂からなり、前面ケース５の開口５ａから視認可能な個所が略円板状となるように形成されている。また、円板状個所の外周には前面側に突出するリング状の表示仕切り部２ｃ３が設けられている。表示仕切り部２ｃ３は、第一の表示器１の指標部１ａを囲み、第一の表示器１の表示領域を画定するものである。また、第一の表示器１の表示仕切り部２ｃ３との対向個所には表示仕切り部２ｃ３と略同形状の背景部１ｂが前記画像として表示されており、表示仕切り部２ｃ３が光輝しているような見栄えを示している。
【００２２】
後部支持部材２ｃ２は、金属製である。この後部支持部材２ｃ２は、ベルト４ａを保持している。
【００２３】
前部支持部材２ｃ１と後部支持部材２ｃ２とは、図４中、第一の表示器１の上側でネジなどの適宜手段によって固定されている。
【００２４】
支持体３は、金属からなり、その主要部が平板形状である。本実施形態では、支持体３は、放熱や重量などの点から、アルミニウム合金にて形成されている。
【００２５】
支持体３は、３本のガイドレール３ａ，３ｂ及び３ｃを有する。この３本のガイドレール３ａ，３ｂ及び３ｃは、図５に示すように取付部３ｄによって支持体３に固定されている。ガイドレール３ａは、支持体３の指針２ａ側（図４中左側）であり、他のガイドレール３ｂ及び３ｃは、支持体３の指針用電動機２ｂ側（図４中右側）に設けられている。このガイドレール３ａ〜３ｃは、計器装置の表示面に対して、平行方向に設けられている。第二の表示器２は、この３本のガイドレール３ａ〜３ｃによって移動可能に支持体３に支持されている。具体的には、支持部材２ｃの前部支持部材２ｃ１がガイドレール３ａに接触しており、後部支持部材２ｃ２をガイドレール３ｂ及び３ｃが貫通している。
【００２６】
移動機構４は、図６に示すように、ベルト４ａ，電動機４ｂ及び滑車４ｃによって主に構成されている。ベルト４ａは、前述したように、その一部が支持部材２ｃに固定されている。電動機４ｂ及び滑車４ｃは支持体３に固定されており、この電動機４ｂと滑車４ｃとにベルト４ａが掛け渡してある。なお、ベルト４ａの内周には、図示しない歯が設けられており、また、電動機４ｂには、ベルト４ａの歯に噛み合う図示しない歯が設けられており、電動機４ｂの歯とベルト４ａの歯とが噛み合うことで電動機４ｂがベルト４ａを動かし、第二の表示器２を第一の表示器１の表示面に対して平行方向に移動させる。
【００２７】
前面カバー５は、合成樹脂からなり、その内側にボス５ｂを備えている。前面カバー５は、ボス５ｂをネジ５ｃによって支持体３に固定することで支持体３に支持されている。
【００２８】
背面カバー６は、前面カバー５と同様に合成樹脂からなり、適宜手段によって前面カバー５あるいは支持体３に固定されている。
【００２９】
図７は計器装置及び各種センサの電気的構成を示すブロック図である。１０はマイコン（制御手段）であり、このマイコン１０は、ＣＰＵ，ＲＯＭ，ＲＡＭ及び入出力インターフェイス等を有している。
【００３０】
１１は速度センサであり、この速度センサ１１は車両速度を検出し、マイコン１０に車速データを出力する。
【００３１】
１２は回転センサであり、この回転センサ１２はエンジン回転数を検出し、マイコン１０に回転数データを出力する。
【００３２】
１３はシートベルト検出器であり、このシートベルト検出器１３は車両ドライバーがシートベルトを着用しているか否かを検出するものである。
【００３３】
マイコン１０は、速度センサ１１及び回転センサ１２からの入力信号に基づいて車速データ及び回転数データを算出し、この車速データ及び回転数データに基づいて指針用電動機２ｂを駆動し、指針２ａを回動させて第一の表示器１の指標部１ａを指示させることで車速及びエンジン回転数を表示する。
【００３４】
マイコン１０は、通常は前記第一の表示形態にて第一，第二の表示器１，２に車両情報として車速及びエンジン回転数を表示させ、シートベルト検出器１３によりシートベルトが外れていることが検出されたときには前記第二の表示形態に移行し、第一の表示器１の画面中央に「シートベルトを締めて下さい」なる警告情報１ｃを新たな車両情報として表示する。
【００３５】
マイコン１０は、前記第一の表示形態から前記第二の表示形態に移行するとき、移動機構４に指針２ａ及び表示仕切り部２ｃ３を有する支持部材２ｃを中央位置（第一の位置）から両端位置（第二の位置）に移動させるとともに、第一の表示器１に指針２ａ及び表示仕切り部２ｃ３の移動に応じて前記画像のうち指標部１ａ及び背景部１ｂが移動するように表示させる。さらに、マイコン１０は前記画像の移動に際して、第一の表示器１に移動させる前記画像の少なくとも一部を不鮮明にした不鮮明画像１ｄを前記画像の表示位置から前記画像の移動方向Ｄ１とは逆方向である移動前方向Ｄ２にずれた位置に表示させる。図８は、不鮮明画像１ｄとして背景部１ｂを不鮮明にした不鮮明背景部を背景部１ｂから所定量ずらして表示される表示例を示している。なお、図８は、右側の第二の表示器２（速度計）に対応する指標部１ａ及び背景部１ｂのみを示しているが、左側の第二の表示器２（回転計）に対応する指標部１ａ及び背景部１ｂについても同様に不鮮明画像１ｄが表示される。不鮮明画像１ｄは、背景部１ｂに対して濃度，輝度，色相あるいは彩度の少なくとも１つを異ならせることで背景部１ｂよりも不鮮明な画像となるように描画されるものであり、複数配置する場合は背景部１ｂの移動前方向Ｄ２に向かって徐々に不鮮明となる（グラデーションとなる）ように並べて表示させる。また、マイコン１０は、前記第二の表示形態から前記第一の表示形態に移行する際には、移動機構４に指針２ａ及び表示仕切り部２ｃ３を有する支持部材２ｃを両端位置（第一の位置）から中央位置（第二の位置）に移動させるとともに、第一の表示器１に指針２ａ及び表示仕切り部２ｃ３の移動に応じて前記画像のうち指標部１ａ及び背景部１ｂが移動するように表示させる。さらにマイコン１０は、前述と同様に前記画像の移動に際して、第一の表示器１に移動させる前記画像の少なくとも一部を不鮮明にした不鮮明画像１ｄを前記画像の表示位置から前記画像の移動前方向にずれた位置に表示させる。
【００３６】
第二の表示器２と第一の表示器１の前記画像とを同期させて移動させる際に、不鮮明画像１ｄを表示させることによって、表示仕切り部２ｃ３に対して前記画像の残像が追従するような見栄えとなり、第二の表示器２の特に表示仕切り部２ｃ３の位置と前記画像の表示位置とが完全に同期しない場合であっても残像の存在によって互いの位置のズレが利用者に認識され難くなり、違和感をなくして移動の際の視認性及び見栄えを向上させることができる。特に、表示仕切り部２ｃ３を透光性とし第一の表示器１に表示仕切り部２ｃ３と重ねて背景部１ｂを表示させる場合には表示仕切り部２ｃ３と背景部１ｇとのズレが利用者に認識されやすいが、不鮮明画像１ｄとして背景部１ｂに隣接する前記不鮮明背景部を表示することによって利用者の違和感を低減させ、視認性及び見栄えを向上させることができ好適である。なお、指標部１ａについては指標及び数字の判読性を重視する場合には指標部１ａに対応した不鮮明画像１ｄを表示させないことが望ましいが、見栄えの演出を重視する場合には、指標部１ａについても不鮮明画像を表示させることでより前記画像の移動を強調することができ、計器装置としての商品性を向上させることができる。
【産業上の利用可能性】
【００３７】
本発明は、液晶表示パネルなどのフラットパネルディスプレイと称される表示器を備えた計器装置に適用可能である。
【符号の説明】
【００３８】
１    第一の表示器
１ａ  指標部
１ｂ  背景部
１ｃ  警告情報
１ｄ  不鮮明画像
２    第二の表示器
２ａ  指針
２ｂ  指針用電動機
２ｃ  支持部材
２ｃ１  前部支持部材
２ｃ２  後部支持部材
２ｃ３  表示仕切り部
３    支持体
４    移動機構
５    前面ケース
６    背面カバー
１０  マイコン（制御手段）
【図１】
2010216855.tif 000003
【図２】
2010216855.tif 000004
【図３】
2010216855.tif 000005
【図４】
2010216855.tif 000006
【図５】
2010216855.tif 000007
【図６】
2010216855.tif 000008
【図７】
2010216855.tif 000009
【図８】
2010216855.tif 000010